(57)【要約】
【課題】  組み立てが容易かつ迅速に行えるイヤホン収納装置の端子セットを提供する。
【解決手段】  第一端子２０と第二端子３０とを備える。第一端子２０は平板部と、平板部から延伸する少なくとも１つの弾片とを有し、弾片が平板部との間に所定の角度を形成する。第二端子３０は平板部と、平板部から延伸して平板部との間に所定の角度を形成する少なくとも１つの弾片と、平板部から延伸して第一端子の平板部に連接される連接部とを有する。
【選択図】    図５
0003101347.tif 000002
【実用新案登録請求の範囲】
【請求項１】
コード巻取り盤との連接に用いるイヤホン収納装置の端子セットであって、
平板部と、該平板部から延伸して形成される少なくとも１つの弾片とを有し、該弾片は該平板部との間に所定の角度を形成する第一端子と、
平板部と、該平板部から延伸して該平板部との間に所定の角度を形成する少なくとも１つの弾片と、該平板部から延伸して前記第一端子の平板部に連接される連接部とを有する第二端子と、
を備えることを特徴とするイヤホン収納装置の端子セット。
【請求項２】
平板部と、該平板部から延伸して該平板部との間に所定の角度を形成する少なくとも１つの弾片と、該平板部から延伸して前記第一端子の平板部に連接される連接部とを有する第三端子を備えることを特徴とする請求項１記載のイヤホン収納装置の端子セット。
【請求項３】
前記第一端子の弾片の数は、最適には２個であることを特徴とする請求項１記載のイヤホン収納装置の端子セット。
【請求項４】
前記弾片の自由端は、凸点を有することを特徴とする請求項１または請求項２記載のイヤホン収納装置の端子セット。
【請求項５】
前記平板部は、少なくとも１つの穿孔を有することを特徴とする請求項１または請求項２記載のイヤホン収納装置の端子セット。
【請求項６】
前記平板部の周縁は、少なくとも１つの位置決め溝を有することを特徴とする請求項１または請求項２記載のイヤホン収納装置の端子セット。
【請求項７】
前記コード巻取り盤は、端子セットを収納する凹溝を有し、該凹溝内は前記穿孔を嵌設する複数の位置決め柱を有することを特徴とする請求項５記載のイヤホン収納装置の端子セット。
【請求項８】
前記コード巻取り盤は、端子セットを収納する凹溝を有し、該凹溝の周縁は位置決め溝と嵌合する複数の係合柱を有することを特徴とする請求項６記載のイヤホン収納装置の端子セット。
【請求項９】
前記コード巻取り盤は、端子セットを収納する凹溝を有し、該凹溝中は第二端子の連接部の位置に対応する通孔を有することを特徴とする請求項１記載のイヤホン収納装置の端子セット。
【考案の詳細な説明】
【技術分野】
【０００１】
本考案は、イヤホンに係るもので、特に、位置決めが迅速に行え、かつ組み立てが容易なイヤホン収納装置の端子セットに関する。
【背景技術】
【０００２】
従来のイヤホン収納装置１には、図１および図２に示したように、対応的に接合できる２つのケース２と、該２つのケース２内に設けられたピン座３と、該ピン座３のスピンドル５に嵌設されるコード巻取り盤４と、該コード巻取り盤４に設置されて共に回転する端子セット６とが主に備わっており、前記コード巻取り盤４が回転するとき、前記端子セット６に連接されたコード７がコード巻取り盤４の外側に巻き取られ、また、前記ピン座３には若干の導電リング８が設けられているので、該コード巻取り盤４がいかなる位置に回転しても、該端子セット６の各端子６１はいずれも該導電リング８との電気接続を保持することができ、さらに、前記コード７の別端にはイヤホン９が設けられ、前記導電リング８はコード９１を介してプラグ９２と電気接続されており、こうして前記コード巻取り盤４が回転するとき、前記コード７が２つのケース２内に巻き取られて収納されるとともに、前記プラグ９２と前記イヤホン９との間の電気接続は保持され、イヤホン収納の目的を達成している。
【０００３】
上記のうち、端子セット６には座体６２と、該座体６２に設置される若干の端子６１とが備わっており、該端子６１を座体６２に取り付ける際には、通常は１回につき１個の端子を取り付けるので、手間と時間がかかるだけでなく、位置決めを正確に行うことも容易でなく、該端子６１が該導電リング８と正確に接触しないことがよくあり、長く使用していると、接触不良になりやすいという問題があった。
【考案の開示】
【考案が解決しようとする課題】
【０００４】
上記の欠点に鑑みて、本考案は、組み立てが容易かつ迅速に行えるイヤホン収納装置の端子セットを提供することを第１の目的とする。
さらに、本考案は、位置決めが正確に行え、かつ接触不良を効果的に回避できるイヤホン収納装置の端子セットを提供することを第２の目的とする。
【課題を解決するための手段】
【０００５】
上記目的を達成するために、本考案が提供するイヤホン収納装置の端子セットは、第一端子と第二端子とを備えることであり、前記第一端子は平板部と、該平板部から延伸する少なくとも１つの弾片とを有し、該弾片が平板部との間に所定の角度を形成し、前記第二端子は平板部と、該平板部から延伸して該平板部との間に所定の角度を形成する少なくとも１つの弾片と、該平板部から延伸して前記第一端子の平板部に連接される連接部とを有する。
【考案を実施するための最良の形態】
【０００６】
本考案の特徴をさらに理解するため、次に好ましい実施例を挙げて、図面を参照して説明する。
図３に示したように、本考案の好ましい一実施例で提供したイヤホン収納装置の端子セット１０は、コード巻取り盤５０との連結に用いられ、該端子セット１０は第一端子２０、第二端子３０および第３の端子４０を有している。
【０００７】
前記第一端子２０には長形の平板部２２と、該平板部２２から延伸する２つの弾片２６とが備わり、該弾片２６は該平板部２２との間に所定の角度Ａを形成し、本実施例において、該角度Ａは４５°であり（図４参照）、また、該弾片２６の上端（および自由端）に凸点２８を設けているほか、該平板部２２に円形の軸孔２３をその中央に設け、半円形の位置決め溝２４を縁に設け、さらに、複数個の円形の穿孔２５を設けている。
【０００８】
前記第二端子３０には弧形の平板部３２と、該平板部３２から延伸して該平板部３２との間に所定の角度（４５°）を形成する２つの弾片３６と、該平板部３２から延伸して前記第一端子２０の平板部２２に連接された連接部３９とが備わり、該弾片３６の上端に凸点３８をそれぞれ設け、該平板部３２に半円形の位置決め溝３４をその縁に設け、さらに、複数個の円形の穿孔３５を設けている。
【０００９】
前記第３の端子４０には平板部４２と、２つの弾片４６と、前記第一端子２０の平板部２２に連接された連接部４９とが備わり、該２つの弾片４６の上端に凸点４８をそれぞれ設け、該平板部４２に位置決め溝４４と複数個の穿孔４５とを設けている。
【００１０】
前記コード巻取り盤５０には軸管５１と、該軸管５１の両端から延伸する２つの円板体５２と、該軸管５１の中央に設けた隔壁５３とが備わり、これにより該コード巻取り盤５０の片側に前記端子セット１０を収納するための凹溝５４を形成させ、前記隔壁５３の中央には中管５５を設けてピン座のスピンドル（図には未表示）を穿設し、かつ前記第一端子２０の軸孔２３を嵌設し、前記隔壁５３には複数の位置決め柱５６を設けて前記穿孔２５、前記穿孔３５および前記穿孔４５を嵌設し、前記凹溝５４の周辺には複数の半円柱状の係合柱を設けて前記位置決め溝２４、前記位置決め溝３４および前記位置決め溝４４に挿入し、前記隔壁５３にはさらに前記連接部３９および前記連接部４９に対応する位置に２つの通孔を設けているほか、前記コード巻取り盤５０の軸管５１には開口５９を設けてコード６０を２つの円板体の間から凹溝５４のなかに伸入させ、前記コード６０には前記第一端子２０、前記第二端子３０および前記第３の端子４０に連接された３つのサブコード（図には未表示）が含まれている。
【００１１】
図５に示したように、実際に組み立てる際には、前記端子セット１０では、前記第一端子２０、第二端子３０および第３の端子４０が一つに連接されるので、作業員は端子セット１０を前記コード巻取り盤５０の凹溝５４に入れるとともに、各端子の穿孔２５、穿孔３５および穿孔４５を位置決め柱５６に嵌設し、さらに、各端子の位置決め溝２４、位置決め溝３４および位置決め溝４４を係合柱５７の位置に合わせるだけで、各端子の位置決めを一操作で終えることができ、このとき、第一端子２０の軸孔２３は中管５５の外側にうまく嵌設される。次いで、図６に示したように、熱溶融法で前記位置決め柱５６の末端を溶融し、凝固させて比較的大きなヘッド部５６’を形成して各端子を固定し、最後に前記連接部３９および連接部４９を加工方式でプレスカットすれば、すべての組み立てプロセスが完了する。
【００１２】
本実施例が提供する端子セット１０は、一度の位置決め操作で複数個の端子を正確に定位させることができ、組み立てが迅速であるだけでなく、さらに、接触不良の問題を効果的に回避でき、従来の構造上の欠点を改善して本考案の目的を達成させる。
【００１３】
本考案の主旨に基づけば、端子セットには任意の数の端子を備えさせることができ、各端子は連接部によって相互に連結され、一度の位置決めを行ってから、加工方式を用いて各連接部をプレスカットすれば、端子の形状がどのように変化したとしても、いずれも本考案が申請する権利請求の範囲に含まれるものとなる。
【図面の簡単な説明】
【００１４】
【図１】従来のイヤホン収納装置の端子セットの斜視図である。
【図２】従来のイヤホン収納装置の端子セットの分解斜視図である。
【図３】本考案の一実施例によるイヤホン収納装置の端子セットの分解斜視図である。
【図４】本考案の一実施例によるイヤホン収納装置の端子セットの局部側面図である。
【図５】本考案の一実施例によるイヤホン収納装置の端子セットの斜視図である。
【図６】本考案の一実施例によるイヤホン収納装置の端子セットの斜視図である。
【符号の説明】
【００１５】
１０  端子セット、２０  第一端子、２２  平板部、２３  軸孔、２４  位置決め溝、２５  穿孔、２６  弾片、２８  凸点、３０  第二端子、３２  平板部、３４  位置決め溝、３５  穿孔、３６  弾片、３８  凸点、３９  連接部、４０  第３の端子、４２  平板部、４４  位置決め溝、４５  穿孔、４６  弾片、４８  凸点、４９  連接部５０  コード巻取り盤、５１  軸管、５２  円板体、５３  隔壁、５４  凹溝、５５  中管、５６  位置決め柱、５６’  ヘッド部、５７  係合柱、５８  通孔、５９  開口、６０  コード
【図１】
0003101347.tif 000003
【図２】
0003101347.tif 000004
【図３】
0003101347.tif 000005
【図４】
0003101347.tif 000006
【図５】
0003101347.tif 000007
【図６】
0003101347.tif 000008